(57)【要約】  本発明によれば、特定の顔色の色味に最も似合うカラー化粧品を選択するための方法が提供される。【特許請求の範囲】
【請求項１】
適切な／似合うリップ製品の色味を選択する方法であって、
１）ユーザの全体的な顔色の色味について評価が行われ、
２）様々なリップ製品カラー化粧品が４つの顔色グループの１つに従って選択され、
ａ）前記ユーザの顔色の明度Ｌ＊が４１〜５２ユニットであり、Ｃ＊が１８〜２４ユニットであり、及び色相角ｈ°が５４〜６０°である場合、前記ユーザは、色相角ｈ°が５〜３０°であり、明度Ｌ＊が４０〜４５ユニットであり、及び彩度Ｃ＊が３０〜５０であるリップ製品カラー化粧品に適合され、
ｂ）前記ユーザの顔色の明度Ｌ＊が５８〜７０ユニットであり、Ｃ＊が２０〜２５ユニットであり、及び色相角ｈ°が６３°超である場合、前記ユーザは、色相角ｈ°が１０〜３０°であり、明度Ｌ＊が４０〜４７ユニットであり、及び彩度Ｃ＊が３０〜５０であるリップ製品カラー化粧品に適合され、
ｃ）前記ユーザの顔色の明度Ｌ＊が６２〜６８ユニットであり、Ｃ＊が１８〜２５ユニットであり、及び色相角ｈ°が５０°未満である場合、前記ユーザは、色相角ｈ°が５〜２０°であり、明度Ｌ＊が４０〜４９ユニットであり、及び彩度Ｃ＊が３０〜５０であるリップ製品カラー化粧品に適合され、
ｄ）前記ユーザの顔色の明度Ｌ＊が５２ユニット超であり、Ｃ＊が２０〜２５ユニットであり、及び色相角ｈ°が５６〜６３である場合、前記ユーザは、色相角ｈ°が５〜２５°であり、明度Ｌ＊が４０〜４９ユニットであり、及び彩度Ｃ＊が３０〜５０であるリップ製品カラー化粧品に適合される、方法。
【請求項２】
カラー化粧品のキットであって、
ａ）４１〜５２ユニットの顔色の明度Ｌ＊、１８〜２４ユニットのＣ＊、及び５４〜６０°の色相角ｈ°、
ｂ）５８〜７０ユニットの顔色の明度Ｌ＊、２０〜２５ユニットのＣ＊、及び６３°超の色相角ｈ°、
ｃ）６２〜６８ユニットの顔色の明度Ｌ＊、１８〜２５ユニットのＣ＊、及び５０未満の色相角ｈ°、並びに
ｄ）５２ユニット超の顔色の明度Ｌ＊、２０〜２５ユニットのＣ＊、及び５６〜６３の色相角ｈ°
からなるグループから選択されるファンデーションシェードを選択することと、前記ファンデーションシェードを請求項１に記載の適切なリップ製品カラー化粧品と組み合わせることとを含む、カラー化粧品のキット。
【発明の詳細な説明】
【技術分野】
【０００１】
本発明は、特定のユーザに合う色の客観的評価を提供する、カラー化粧品を選択する方法に関する。
【背景技術】
【０００２】
カラー化粧品を使用することは新しい概念でも習慣でもない。今日、ユーザは、店内に提示されている一連の製品からカラー化粧品を自ら選択している。
【０００３】
従前のシナリオでは、いずれのカラー化粧品が自らの顔色に合う可能性があるかをユーザが主観的に決定することが必要とされる。店内の照明は、色の認識、特にカラー化粧品がユーザに合うか否かにおいて重要な役割を果たす。更に、異なる光源の光出力は異なる場合がある。例えば、日光の光は白熱電球に比べて色がわずかに青みを帯びており、認識される色がわずかに異なることになる。ユーザが製品を自らの手で「テストする」ことが往々にして見られるが、手の肌の色合い及び肌の肌理は顔色と等しくないため、ユーザは、その顔ではなくその手の肌の色合いに良く合っている可能性のある製品を購入することになる。更に、ユーザが適切なカラー化粧品を適切に選択した場合であっても、ファンデーションが肌に塗布されれば、ファンデーションにより、カラー化粧品がもはやふさわしくない程度まで肌の色合いが変化する場合がある。
【０００４】
或いは、ユーザは、店内のカラー化粧品アドバイザの助言を求める場合がある。しかしながら、色の選択においては一部の消費者より経験があるものの、アドバイザの提案も主観的であり得る。
【０００５】
これまで、ユーザをより暖色系若しくは寒色系の色味に又は「季節」によってグループ化する「Ｃｏｌｏｕｒ  Ｍｅ  Ｂｅａｕｔｉｆｕｌ」で使用されているシステムなど、同様の顔色を有する人々をグループ化する試みがなされてきた。したがって、このようなシステムの目的は、似合うと決められた予め選択された色のパレットをユーザに提案することであった。こうした試みの背景にある理論は適切な場合もあるが、いくつかの上記の照明問題又はその肌の色合いに関する自らの認識のために、ユーザはグループ化を誤ることが多い。しかしながら、このシステムは単純すぎるものであり、ユーザは、多くの場合、自らがいずれの暖色系／寒色系の色味又は「季節」に該当するかについて誤った初期選択を行うのみならず、予め選択される色パレットもユーザを誤ったパレット選択へ誤って導くことがある。端的には、「寒色系」の肌の色合いを有することが分かった場合、「寒色系」の色を身につけるべきであるとは限らない。このシステムは主観的であるため、人為的過誤を生じやすい。
【発明の概要】
【発明が解決しようとする課題】
【０００６】
カラー化粧品の選択プロセスの上記欠点はユーザの不満足な経験につながる。本出願人はこれに対処しようとするものである。
【課題を解決するための手段】
【０００７】
本発明によれば、適切な／似合うリップ製品(lip product)カラー化粧品を選択する方法であって、
１）ユーザの全体的な顔色の色味について評価が行われ、
２）リップ製品カラー化粧品が４つの顔色グループの１つに従って選択され、
ａ）ユーザの顔色の明度Ｌ＊が４１〜５２ユニットであり、Ｃ＊が１８〜２４ユニットであり、及び色相角ｈ°が５４〜６０°である場合、ユーザは、色相角ｈ°が５〜３０°であり、明度Ｌ＊が４０〜４５ユニットであり、及び彩度Ｃ＊が３０〜５０であるリップ製品カラー化粧品に適合され、
ｂ）ユーザの顔色の明度Ｌ＊が５８〜７０ユニットであり、Ｃ＊が２０〜２５ユニットであり、及び色相角ｈ°が６３°超である場合、ユーザは、色相角ｈ°が１０〜３０°であり、明度Ｌ＊が４０〜４７ユニットであり、及び彩度Ｃ＊が３０〜５０であるリップ製品カラー化粧品に適合され、
ｃ）ユーザの顔色の明度Ｌ＊が６２〜６８ユニットであり、Ｃ＊が１８〜２５ユニットであり、及び色相角ｈ°が５０°未満である場合、ユーザは、色相角ｈ°が５〜２０°であり、明度Ｌ＊が４０〜４９ユニットであり、及び彩度Ｃ＊が３０〜５０であるリップ製品カラー化粧品に適合され、
ｄ）ユーザの顔色の明度Ｌ＊が５２ユニット超であり、Ｃ＊が２０〜２５ユニットであり、及び色相角ｈ°が５６〜６３である場合、ユーザは、色相角ｈ°が５〜２５°であり、明度Ｌ＊が４０〜４９ユニットであり、及び彩度Ｃ＊が３０〜５０であるリップ製品カラー化粧品に適合される、方法が提供される。
【発明を実施するための形態】
【０００８】
本発明の出願人らは、カラー化粧品の選択プロセスの客観性を向上することに主眼を置いている。本出願人らは、例えばリップシェードなどのカラー化粧品のすべてがいずれの肌の色合いにも合うとは限らないことを認識している。例えば、その顔色が黄色みの色合いであるユーザについて、マゼンタ／フクシア色などの色調的により青みの強いリップシェードは、ルビー又はとび色の色調のシェードなどのより黄みの強いリップスティックシェードに比べて顔色にあまり似合わない。
【０００９】
より暗い色合いの肌には多種多様なリップスティックシェードが似合う。これらの肌の色合いには、例えば、マゼンタ、ローズ、ラズベリー、ルビー、コーラル及びとび色の色調などのシェードが似合う。しかしながら、肌の色合いがかなりピンクであるユーザにとって、とび色又はコーラル色のリップスティックシェードなど、黄色の色調のシェードはあまり似合わないことが分かっている。一方、より青みのある色合いのリップスティックシェード、例えば、ローズ、マゼンタ、ラズベリーのシェードはより似合う。
【００１０】
他のあらゆる肌の色合いに対しては、幅広い範囲のリップスティックシェードが似合うものの、コーラル、オレンジ、とび色などのオレンジの色調のシェードはあまり似合わない。
【００１１】
色がユーザに似合うか否かを判断するための正確な方法はなく、その代わりにこれはユーザの認識された見た目に基づく直覚的な判断である。カラー化粧品の色味がユーザに合っている場合、ユーザの肌はより健康に、より輝いて、より明るく、元気に見える。反対に、色味がユーザに合っていない場合、肌は曇り、疲れ、具合が悪く見え、目の下のくま若しくはたるみ、しみの出現又はむらのある肌の色合いなどの否定的に認識される部分を強調しがちとなる。
【００１２】
顔色、ファンデーション及びカラー化粧品の色はＣＩＥＬＡＢ（Ｌ＊ａ＊ｂ＊）法の範囲内で測定される。ＣＩＥＬＡＢ（Ｌ＊ａ＊ｂ＊）は、人間の目に見えるすべての色を説明するために使用され得る３次元色空間（カラースペース）である。ＣＩＥＬＡＢにおいて、特定の色は３つの異なるパラメータを用いて示すことができ、Ｌ＊は、色の明度を示し、０（黒を表す）〜１００（白を表す）の範囲であり、ａ＊は、色の赤／緑値を示し、ｂ＊は、色の黄／青値を表す。ＣＩＥＬＡＢでは、色の表記にデカルト座標を使用する。極座標も使用できる。この方法は、ＣＩＥＬＣＨ（Ｌ＊Ｃ＊ｈ°）と呼ばれ、ＣＩＥＬＡＢに由来する。この場合、Ｌ＊は明度を示し、Ｃ＊は彩度を示し、ｈ°は色相角を示す。
【００１３】
本研究の目的は、カラー化粧品のいずれの色味が特定の顔色の色味に似合うかを特定することである。本出願人は、市販されている本出願人の色測定器である「Ｍａｔｃｈ  Ｍａｄｅ」デバイスを使用して顔色の色味を測定することができ、その後、客に対して、その顔色又はファンデーションを塗布したその顔色のいずれかに似合う予め選択された範囲のカラー化粧品、例えばリップシェードを提案することができる。顔色の色味を色空間の４つの異なる領域にグループ化することが可能となっている。
【００１４】
第１のグループは、４１〜５２ユニットの顔色の明度Ｌ＊、１８〜２４ユニットのＣ＊、及び５４〜６０°の色相角ｈ°で定義される。これらの顔色は色がより暗く、この例は、アフリカ系カリブ人の起源等であり得る。ユーザがこの範囲の顔色の色合いを有する場合、ユーザは、色相角ｈ°が５〜３０°であり、明度Ｌ＊が４０〜４５ユニットであり、及び彩度Ｃ＊が３０〜５０であるリップシェードカラー化粧品に適合される。
【００１５】
第２のグループは、５８〜７０ユニットの顔色の明度Ｌ＊、２０〜２５ユニットのＣ＊、及び６３°超の色相角ｈ°で定義される。これらの顔色は黄色みの色合いを有し、この例は、アジアを起源とする人々であり得る。ユーザがこの範囲の顔色の色合いを有する場合、ユーザは、色相角ｈ°が１０〜３０°であり、明度Ｌ＊が４０〜４７ユニットであり、及び彩度Ｃ＊が３０〜５０であるリップシェードカラー化粧品に適合される。
【００１６】
第３のグループは、６２〜６８ユニットの顔色の明度Ｌ＊、１８〜２５ユニットのＣ＊、及び５０°未満の色相角ｈ°を有する。これらの人々は、よりピンク色のアンダートーンを有する顔色を有し、この例は、赤みを帯びた顔色を有するコーカソイド起源の人々である。ユーザがこの範囲の顔色の色合いを有する場合、ユーザは、色相角ｈ°が５〜２０°であり、明度Ｌ＊が４０〜４９ユニットであり、及び彩度Ｃ＊が３０〜５０であるリップシェードカラー化粧品に適合される。
【００１７】
第４のグループは、５２ユニット超の顔色の明度Ｌ＊、２０〜２５ユニットのＣ＊、及び５６〜６３の色相角を有する。これらの人々は様々な顔色を有し、この例は、より暗い色調のコーカソイド又はヒスパニック起源の人々である。ユーザがこの範囲の顔色の色合いを有する場合、ユーザは、色相角ｈ°が５〜２５°であり、明度Ｌ＊が４０〜４９ユニットであり、及び彩度Ｃ＊が３０〜５０であるリップシェードカラー化粧品に適合される。
【００１８】
適切なリップカラー製品としては、リップスティック、リップペンシル、リップグロス、リップライナー及びこれらの組み合わせが挙げられる。歴史的に、リップカラーシェードは、配合者の好みに基づくランダムな選択によって開発されていた。本出願人は、この色の理解により、４つの顔色グループのそれぞれに好適なシェードの選択を可能にする、組織化された論理的範囲のリップカラーシェードを開発することができるようになった。本出願人は、リップスティックシェードが位置するＣＩＥＬＡＢ色空間の領域内のＬ＊Ｃ＊ｈ°の一定の増分に沿って様々なリップシェードを作製した。リップシェードをこの手法で開発することにより、本出願人は特定のユーザにおけるリップシェードの適合性を確実に改善することができ、リップシェードの選択における主観性のレベルを下げる。
【００１９】
適切なリップスティック製品は、クリーム状及び艶なしであっても、艶及び光沢があってもよい。本出願人らは、クリーム状のシェードがリップスティックの適合性を高めることを認識していることから、リップスティック製品は、クリーム状及び艶なしであることが好ましい。
【００２０】
好適な実施形態では、カラー化粧品ファンデーション及び１つ以上の合う（似合う）リップ製品を含むキットが提供されてもよい。
【００２１】
本発明はリップカラー化粧品を選択する目的で設計されているが、本発明は、頬紅、ブロンザー、アイシャドウ、ペンシル及びマスカラなどの他のカラー化粧品を選択する類似の客観的方法を理解及び提供するように操作することができる。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
適切な／似合うリップ製品の色味を選択する方法であって、
１）ＣＩＥＬＣＨ色空間システムに従う色測定器を用いて、ユーザの全体的な顔色の色味を評価して、ＣＩＥＬＣＨ値におけるユーザの顔色の色味を決定し、
２）様々なリップ製品カラー化粧品を４つの顔色グループの１つに従って選択し、
ａ）前記ＣＩＥＬＣＨシステムに従って測定されたとき、前記ユーザの顔色の明度Ｌ＊が４１〜５２ユニットであり、Ｃ＊が１８〜２４ユニットであり、及び色相角ｈ°が５４〜６０°である場合、前記ユーザは、色相角ｈ°が５〜３０°であり、明度Ｌ＊が４０〜４５ユニットであり、及び彩度Ｃ＊が３０〜５０であるリップ製品カラー化粧品に適合され、
ｂ）前記ＣＩＥＬＣＨシステムに従って測定されたとき、前記ユーザの顔色の明度Ｌ＊が５８〜７０ユニットであり、Ｃ＊が２０〜２５ユニットであり、及び色相角ｈ°が６３°超である場合、前記ユーザは、色相角ｈ°が１０〜３０°であり、明度Ｌ＊が４０〜４７ユニットであり、及び彩度Ｃ＊が３０〜５０であるリップ製品カラー化粧品に適合され、
ｃ）前記ＣＩＥＬＣＨシステムに従って測定されたとき、前記ユーザの顔色の明度Ｌ＊が６２〜６８ユニットであり、Ｃ＊が１８〜２５ユニットであり、及び色相角ｈ°が５０°未満である場合、前記ユーザは、色相角ｈ°が５〜２０°であり、明度Ｌ＊が４０〜４９ユニットであり、及び彩度Ｃ＊が３０〜５０であるリップ製品カラー化粧品に適合され、
ｄ）前記ＣＩＥＬＣＨシステムに従って測定されたとき、前記ユーザの顔色の明度Ｌ＊が５２ユニット超であり、Ｃ＊が２０〜２５ユニットであり、及び色相角ｈ°が５６〜６３である場合、前記ユーザは、色相角ｈ°が５〜２５°であり、明度Ｌ＊が４０〜４９ユニットであり、及び彩度Ｃ＊が３０〜５０であるリップ製品カラー化粧品に適合される、方法。
【請求項２】
カラー化粧品のキットであって、
ａ）ＣＩＥＬＣＨシステムに従って測定されたときに、４１〜５２ユニットの顔色の明度Ｌ＊、１８〜２４ユニットのＣ＊、及び５４〜６０°の色相角ｈ°、
ｂ）ＣＩＥＬＣＨシステムに従って測定されたときに、５８〜７０ユニットの顔色の明度Ｌ＊、２０〜２５ユニットのＣ＊、及び６３°超の色相角ｈ°、
ｃ）ＣＩＥＬＣＨシステムに従って測定されたときに、６２〜６８ユニットの顔色の明度Ｌ＊、１８〜２５ユニットのＣ＊、及び５０未満の色相角ｈ°、並びに
ｄ）ＣＩＥＬＣＨシステムに従って測定されたときに、５２ユニット超の顔色の明度Ｌ＊、２０〜２５ユニットのＣ＊、及び５６〜６３の色相角ｈ°
からなるグループから選択されるファンデーションシェードを有するファンデーション、及び、該ファンデーションと組み合わされる適切なリップ製品カラー化粧品であって、
ｉ．前記ファンデーションがａ）に従う場合、ユーザは、色相角ｈ°が５〜３０°であり、明度Ｌ＊が４０〜４５ユニットであり、及び彩度Ｃ＊が３０〜５０であるリップ製品カラー化粧品に適合され、
ｉｉ．前記ファンデーションがｂ）に従う場合、ユーザは、色相角ｈ°が１０〜３０°であり、明度Ｌ＊が４０〜４７ユニットであり、及び彩度Ｃ＊が３０〜５０であるリップ製品カラー化粧品に適合され、
ｉｉｉ．前記ファンデーションがｃ）に従う場合、ユーザは、色相角ｈ°が５〜２０°であり、明度Ｌ＊が４０〜４９ユニットであり、及び彩度Ｃ＊が３０〜５０であるリップ製品カラー化粧品に適合され、
ｉｖ．前記ファンデーションがｄ）に従う場合、ユーザは、色相角ｈ°が５〜２５°であり、明度Ｌ＊が４０〜４９ユニットであり、及び彩度Ｃ＊が３０〜５０であるリップ製品カラー化粧品に適合される、
リップ製品カラー化粧品を含む、カラー化粧品のキット。
【国際調査報告】
2017522124.tif 000002
2017522124.tif 000003